(57)【特許請求の範囲】
【請求項１】
画像デ−タに基づいて記録媒体の端部に対して余白なしで画像を形成する画像形成手段と、
前記画像データに含まれる特定の対象画像と前記記録媒体の端部との位置関係を算出する位置算出手段と、
前記位置関係が閾値以下である場合、前記記録媒体に対する前記特定の対象画像の位置を移動させて補正する補正手段と、
前記端部の一定領域における画像が一定の均一画像であった場合、前記特定の対象画像の位置を補正する際に、前記特定の対象画像の移動方向とは反対側の各端部に対して前記画像データを引き伸ばすように拡大して各端部に画像を補完し、前記端部の一定領域における画像が不均一画像であった場合、前記特定の対象画像の位置を補正する際に、前記特定の対象画像の移動方向とは反対側の各端部に対して前記画像データの拡大率を増加させて画像を各端部に画像を補完する補完手段と、を備えた、
ことを特徴とする画像形成装置。
【請求項２】
前記補正手段は、前記位置関係が閾値以下である場合、前記画像データの各端部の一定領域における画像を引き伸ばすように拡大する、
ことを特徴とする請求項１に記載の画像形成装置。
【請求項３】
前記補正手段は、前記位置関係が閾値以下である場合、前記画像が描画される仮想的なシートを表す複数のレイヤーのうち前記特定の対象画像を含まないベースレイヤーに配置される前記画像データの各端部の一定領域における画像を引き伸ばすように拡大する、
ことを特徴とする請求項１に記載の画像形成装置。
【発明の詳細な説明】
【技術分野】
【０００１】
本発明は、画像形成装置に関する。
【背景技術】
【０００２】
印刷に用いられる印刷媒体に対応する印刷媒体領域よりも大きな出力領域に個別に配置される複数のオブジェクトを取得する取得手段と、取得手段により取得された複数のオブジェクトのうちの出力領域の端に配置されるオブジェクトを選択する選択手段と、選択手段により選択された選択オブジェクトを出力領域における印刷媒体領域の外側にはみ出させるための選択オブジェクトの配置方法を、選択オブジェクトの属性に応じて選択オブジェクトに対して個別に決定する決定手段と、選択手段により複数のオブジェクトから第１の選択オブジェクトと第２の選択オブジェクトが選択された場合、第１の選択オブジェクトと第２の選択オブジェクトのそれぞれに対して決定手段により個別に決定された配置方法に従って第１の選択オブジェクトと第２のオブジェクトがそれぞれ印刷媒体領域の外側にはみ出すように、複数のオブジェクトを出力領域に個別に配置する配置手段と、配置手段により複数のオブジェクトが配置された出力領域に対応する画像を印刷装置に印刷させる印刷制御手段と、を有する印刷制御装置が知られている（特許文献１）。
【０００３】
用紙の端部を余白なしで印刷する縁なし印刷において、印刷イメージとして、印刷用紙のサイズ以下の印刷イメージを生成する印刷イメージ生成手段と、印刷イメージ生成手段により生成された印刷イメージの周囲に、その印刷イメージの周縁部に基づいてその印刷イメージの外側の印刷イメージを生成して印刷イメージの周囲に外挿することにより印刷用紙のサイズより大きい印刷イメージを生成する印刷イメージ修正手段と、印刷イメージ修正手段により生成された印刷イメージに基づいて、プリンタの印刷制御に使用する印刷制御データを生成する印刷制御データ生成手段と、を有し、印刷イメージ修正手段は、印刷イメージの縁部に印刷イメージの端部に向かって延在するパターンが含まれるかを判断し、端部に向かって延在するパターンが含まれる場合には、延在するパターンを延長するように、印刷イメージの外側の印刷イメージを生成して印刷イメージの周囲に外挿し、印刷イメージ修正手段は、さらに、周囲に外挿された印刷イメージにぼかし処理を実施する印刷制御データ生成装置も知られている（特許文献２）
【先行技術文献】
【特許文献】
【０００４】
【特許文献１】特許第５３９３１０４号明細書
【特許文献２】特許第４７６５５２９号明細書
【発明の概要】
【発明が解決しようとする課題】
【０００５】
本発明は、縁部の画像に含まれる特定の対象画像が欠損することがなく余白なし印刷ができる画像形成装置を提供する。
【課題を解決するための手段】
【０００６】
前記課題を解決するために、請求項１に記載の画像形成装置は、
画像デ−タに基づいて記録媒体の端部に対して余白なしで画像を形成する画像形成手段と、
前記画像データに含まれる特定の対象画像と前記記録媒体の端部との位置関係を算出する位置算出手段と、
前記位置関係が閾値以下である場合、前記記録媒体に対する前記特定の対象画像の位置を移動させて補正する補正手段と、
前記端部の一定領域における画像が一定の均一画像であった場合、前記特定の対象画像の位置を補正する際に、前記特定の対象画像の移動方向とは反対側の各端部に対して前記画像データを引き伸ばすように拡大して各端部に画像を補完し、前記端部の一定領域における画像が不均一画像であった場合、前記特定の対象画像の位置を補正する際に、前記特定の対象画像の移動方向とは反対側の各端部に対して前記画像データの拡大率を増加させて画像を各端部に画像を補完する補完手段と、を備えた、
ことを特徴とする。
【００１０】
請求項２記載の発明は、請求項１に記載の画像形成装置において、
前記補正手段は、前記位置関係が閾値以下である場合、前記画像データの各端部の一定領域における画像を引き伸ばすように拡大する、
ことを特徴とする。
【００１１】
請求項３記載の発明は、請求項１に記載の画像形成装置において、
前記補正手段は、前記位置関係が閾値以下である場合、前記画像が描画される仮想的なシートを表す複数のレイヤーのうち前記特定の対象画像を含まないベースレイヤーに配置される前記画像データの各端部の一定領域における画像を引き伸ばすように拡大する、
ことを特徴とする。
【発明の効果】
【００１２】
請求項１に記載の発明によれば、画像データの中心を特定の対象画像が記録媒体の端部から遠ざかるように移動する補正手段を有しない構成に比して、画像に含まれる特定の対象画像の欠損を防止することができ、画像データの中心を移動する際に、画像データの移動方向とは反対側の各端部に対して画像データを引き伸ばすように拡大する補完手段を有しない構成に比して、用紙の周縁部に白い縁が生じないようにすることができ、画像データの移動方向とは反対側の各端部に対して画像データの拡大率を増加させる補完手段を有しない構成に比して、用紙の周縁部に白い縁が生じないように余白なし印刷することができる。
【００１６】
請求項２に記載の発明によれば、画像データの各端部の一定領域における画像を引き伸ばすように拡大する補正手段を有しない構成に比して、余白なし印刷する際に、画像に含まれる特定の対象画像が欠損することがなく余白なし印刷することができる。
【００１７】
請求項３に記載の発明によれば、ベースレイヤーに配置される画像データの各端部の一定領域における画像を引き伸ばすように拡大する補正手段を有しない構成に比して、用紙の周縁部に白い縁が生じないように余白なし印刷することができる。
【図面の簡単な説明】
【００１８】
【図１】画像形成装置の内部構成を示す断面模式図である。
【図２】画像形成装置の機能構成の一例を示すブロック図である。
【図３】余白なし印刷時に拡大された画像データのオブジェクト画像と用紙端部との位置関係を示す図である。
【図４】（ａ）は余白あり印刷、（ｂ）は全面余白なし印刷、（ｃ）は一部余白なし印刷のトナー像形成を説明する図である。
【図５】余白なし印刷時のトナー像形成を説明する図であり、（ａ）は中間転写ベルト上に形成されるトナー像サイズ、（ｂ）は用紙サイズ、（ｃ）は用紙サイズとトナー像サイズの関係を示す。
【図６】余白なし印刷の動作の流れを示すフローチャートである。
【図７】（ａ）は端部の一定領域における画像が一定の均一画像であった場合の画像データの補正を示す模式図、（ｂ）は端部の一定領域における画像が不均一画像であった場合の画像データの補正を示す模式図である。
【図８】変形例１における余白なし印刷の動作の流れを示すフローチャートである。
【図９】変形例１におけるオブジェクト画像と用紙端部との位置関係が一定の閾値以下である場合の画像データの補正を示す模式図である。
【図１０】変形例２における余白なし印刷の動作の流れを示すフローチャートである。
【図１１】変形例２におけるオブジェクト画像と用紙端部との位置関係が一定の閾値以下である場合の画像データの補正を示す模式図である。
【発明を実施するための形態】
【００１９】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２０】
（１）画像形成装置の全体構成及び動作
図１は本実施形態に係る画像形成装置１の内部構成を示す断面模式図、図２は画像形成装置１の機能構成の一例を示すブロック図、図３は余白なし印刷時に拡大された画像データのオブジェクト画像ＯＧと用紙Ｐの端部との位置関係を示す図、図４（ａ）は余白あり印刷、（ｂ）は全面余白なし印刷、（ｃ）は一部余白なし印刷時のトナー像形成を説明する図、図５は余白なし印刷時のトナー像形成を説明する図であり、（ａ）は中間転写ベルト１５１上に形成されるトナー像サイズ、（ｂ）は用紙サイズ、（ｃ）は用紙サイズとトナー像サイズの関係を示す。
以下、図面を参照しながら、画像形成装置１の全体構成、機能構成及び動作を説明する。
【００２１】
（１．１）画像形成装置の全体構成
画像形成装置１は、画像形成部１０と、画像形成部１０の底部に装着された給紙装置２０と、操作表示部３０と、画像処理部４０と、を備えて構成され、用紙Ｐの端部に余白部を設けず用紙Ｐの端部に至るまで画像を印刷する余白なし印刷機能を有している。
【００２２】
画像形成部１０は、システム制御装置１１、露光装置１２、感光体ユニット１３、現像装置１４、転写装置１５、定着装置１６、を備えて構成され、画像処理部４０から受け取った画像情報を給紙装置２０から送り込まれた用紙Ｐ上にトナー像として形成する。
【００２３】
画像形成部１０の底部には、用紙トレイ２１、２２を有する給紙装置２０が設けられ、更に給紙装置２０の下方には、上下方向に多段（本実施形態においては２段）に配置され、用紙Ｐを収容する用紙トレイＴ１、Ｔ２からなるトレイモジュールＴＭが接続されて画像形成部１０に対する用紙供給を行う。
【００２４】
操作表示部３０は、いわゆるユーザーインターフェースに相当するもので、液晶表示パネル、各種操作ボタン、タッチパネル等を組み合わせて構成され各種の設定や指示の入力及び情報表示に用いられる。
【００２５】
画像処理部４０は、外部機器８２（図２に図示：例えばパーソナルコンピュータ等）から送信された印刷情報から画像データを生成する。
【００２６】
（１．２）画像形成部１０の構成及び動作
このような構成の画像形成装置１では、画像形成のタイミングに合わせて給紙装置２０又はトレイモジュールＴＭのうち、印刷ジョブで印刷の１枚毎に指定されたトレイから繰り出された用紙Ｐが画像形成部１０へ送り込まれる。
【００２７】
感光体ユニット１３は、給紙装置２０の上方に、それぞれが並列して設けられ、回転駆動する感光体ドラム１３１を備えている。露光装置１２により静電潜像が形成されたそれぞれの感光体ドラム１３１上には、それぞれの現像装置１４によってイエロー（Ｙ）、マゼンタ（Ｍ）、シアン（Ｃ）、黒（Ｋ）のトナー像が形成される。
【００２８】
各感光体ユニット１３の感光体ドラム１３１に形成された各色トナー像は、転写装置１５の中間転写ベルト１５１上に順次静電転写（一次転写）され、各色トナーが重畳された重畳トナー像が形成される。中間転写ベルト１５１上の重畳トナー像は、レジストローラ対２４から送り出され、搬送ガイドにより案内された用紙Ｐに二次転写ローラ１５２によって一括転写される。  
【００２９】
定着装置１６は一対の加熱モジュール１６１と加圧モジュール１６２の圧接領域によって定着ニップ部ＮＰ（定着領域）が形成される。
転写装置１５においてトナー像が一括転写された用紙Ｐは、トナー像が未定着の状態で搬送ガイド１５３を介して定着装置１６の定着ニップ部ＮＰに搬送され、一対の加熱モジュール１６１と加圧モジュール１６２により、圧着と加熱の作用でトナー像が定着される。
定着トナー像が形成された用紙Ｐは、搬送ガイドによってガイドされ、排出ローラ対１６３から画像形成装置１上面の排紙トレイ部ＴＲ１に排出・収容される。
【００３０】
（１．３）システム制御装置の機能構成と動作
画像形成装置１は、画像出力制御部１１１、画像データ補正部１１２、画像判定部１１３、位置算出部１１４、余白判別部１１５、電源制御部１１６、露光制御部１１７、定着温度制御部１１８を含むシステム制御装置１１を備え、メモリに記憶された制御プログラムを実行して、画像形成装置１全体の動作制御を行う。
【００３１】
画像出力制御部１１１は、給紙装置２０との間の情報授受についての制御の他に、画像形成部１０が備える露光装置１２、感光体ユニット１３、現像装置１４、転写装置１５、定着装置１６等に対して、動作制御指示を与える。
又、画像出力制御部１１１は、システム制御装置１１が備える電源制御部１１６、露光制御部１１７、定着温度制御部１１８に対して、それぞれ動作制御指示を与える。すなわち、画像形成部１０を構成する露光装置１２、感光体ユニット１３、現像装置１４、転写装置１５、定着装置１６等への給電、駆動を行うか否かを決定し、その決定結果をそれぞれの制御部に対して指示する。
【００３２】
更に、画像出力制御部１１１は、画像データ補正部１１２、画像判定部１１３、位置算出部１１４、余白判別部１１５との間の情報授受を行い、余白なし印刷が選択された場合に、予め定められた動作制御を行う。
【００３３】
補正手段の一例としての画像データ補正部１１２は、画像形成部１０を介して出力すべき特定の対象画像の一例としてのオブジェクト画像ＯＧと用紙Ｐの端部との位置関係によりオブジェクト画像ＯＧが欠ける場合、用紙Ｐに対するオブジェクト画像ＯＧの位置を補正する。特定の対象画像としては、絵、図形、文字等で、その画像そのものが特定の意味を有し、その一部が欠けた場合にはその特定の意味が失われ画像の認識が困難になる虞がある画像をいう。
【００３４】
具体的には、位置関係が閾値以下である場合、画像データの中心をオブジェクト画像ＯＧが用紙Ｐの端部から遠ざかるように移動する。また、用紙Ｐの端部の一定領域における画像が一定の均一画像であった場合、画像データの中心を移動する際に、画像データの移動方向とは反対側の各端部に対して画像データを引き伸ばすように拡大する補正を行う。用紙Ｐ端部の一定領域における画像が不均一画像であった場合、画像データの中心を移動する際に、画像データの移動方向とは反対側の各端部に対して画像データの拡大率を増加させるように補正する。
【００３５】
画像判定部１１３は、画像データの端部の一定領域における画像の均一性を判別し、判定結果を画像出力制御部１１１に対して出力する。具体的には、端部の一定領域を複数の領域に分割し、各々の領域に含まれる画像データの画像パターンの面積（画像密度）を各色ごとに算出して、各々の領域における画像パターンの画像密度の差が閾値以内であれば均一画像、閾値を超えていれば不均一と判断する。
【００３６】
位置算出部１１４は、オブジェクト画像ＯＧと用紙Ｐの端部との位置関係を算出する。具体的には、オブジェクト画像データの用紙Ｐに対する位置座標から各オブジェクト画像ＯＧの端部と用紙Ｐの各端部との距離を算出する。
図３に模式的に示すように、オブジェクト画像ＯＧの端部と用紙Ｐの各端部との距離Ｄが閾値以下（距離が短い）の場合、余白なし印刷のために画像データを所定の倍率で拡大すると、オブジェクト画像ＯＧの一部が用紙Ｐの端部からはみ出して、そのまま余白なし印刷を行うとオブジェクト画像ＯＧに欠落（図３中  破線領域参照）が発生する。
位置算出部１１４は、各オブジェクト画像ＯＧの端部と用紙Ｐの各端部との距離Ｄに基づいて算出した位置関係を画像出力制御部１１１に対して出力する。
【００３７】
余白判別部１１５は、受け入れた画像データの用紙Ｐに対する周辺余白の有無を検出して余白なし印刷か余白あり印刷かを判断する。
図４（ａ）に模式的に示すように、余白あり印刷時には、トナー像は用紙Ｐ内に全て収まり、用紙Ｐの周辺に上余白（ｍｈ）・下余白（ｍｂ）・左余白（ｍｌ）・右余白（ｍｒ）の周辺余白が存在する。
これに対し余白なし印刷は、図４（ｂ）に示すように、トナー像が用紙Ｐの端部にまで達しており、周辺余白がなくなる。図４（ｂ）においては、上余白・下余白・左余白・右余白のすべてがない状態を図示してあるものの、図４（ｃ）に一例として示すように一部の端部に余白がなければ余白なし印刷と判断する。
【００３８】
図５（ａ）は中間転写ベルト１５１上に形成されるトナー像サイズを表しており、縦はＩｖ、横はＩｈである。また、図５（ｂ）は用紙Ｐのサイズを表しており、縦はＰｖ、横はＰｈである。
余白なし印刷においては、トナー像と用紙Ｐのサイズ関係は図５（ｃ）に模式的に示すように、Ｐｖ＜Ｉｖ、Ｐｈ＜Ｉｈとなるように設定される。つまり、用紙Ｐが前後左右に少々ずれて給紙されても、用紙Ｐに余白が生じることがないように、トナー像のサイズは選択されている用紙サイズより若干大きくなるように一定の拡大率Ｒで拡大して形成される。  
【００３９】
（２）余白なし印刷
図６は余白なし印刷の動作の流れを示すフローチャート、図７（ａ）は端部の一定領域における画像が一定の均一画像であった場合の画像データの補正を示す模式図、（ｂ）は端部の一定領域における画像が不均一画像であった場合の画像データの補正を示す模式図である。以下、図面を参照しながら、画像形成装置１が行う余白なし印刷時の画像補正について説明する。
【００４０】
画像形成装置１は、余白なし印刷を行う印刷元データとしての画像データから、１以上の画像が描画される仮想的なシートを表すレイヤーごとにオブジェクト画像データを取得する（Ｓ１０１）。
【００４１】
位置算出部１１４は、取得されたオブジェクト画像データに対して、それぞれ用紙Ｐの端部との距離Ｄを算出し（Ｓ１０２）、距離Ｄが所定の閾値以下であるか否かが判定される（Ｓ１０３）。閾値は、画像データに対して余白なし印刷を行うために設定される拡大率Ｒに基づいて予め設定されている。
【００４２】
距離Ｄが閾値以下と判断された場合（Ｓ１０３：Ｙｅｓ）、画像データ補正部１１２は、画像データの中心Ｃをオブジェクト画像ＯＧが用紙Ｐの端部から遠ざかるように移動する（Ｓ１０４：図７中  矢印参照）。尚、距離Ｄが閾値を越えていると判断された場合（Ｓ１０３：Ｎｏ）、画像データは所定の拡大率Ｒで拡大され余白なし印刷される（Ｓ１０９）。
【００４３】
続いて、画像データの移動方向とは反対側の各端部に対して余白Ｗが発生するか否かを判定する（Ｓ１０５）。その結果、画像データの中心Ｃの移動に伴って、各端部に余白Ｗが発生する場合（Ｓ１０５：Ｙｅｓ）、画像判定部１１３は、画像データの端部の一定領域における画像が一定の均一画像であるか否か判定する（Ｓ１０６）。尚、画像データの中心Ｃの移動を行っても、各端部に余白Ｗが発生しない場合（Ｓ１０５：Ｎｏ）、画像データは所定の拡大率Ｒで拡大され余白なし印刷される（Ｓ１０９）。
【００４４】
端部の一定領域における画像が一定以上均一である場合（Ｓ１０６：Ｙｅｓ）、画像データ補正部１１２は、画像データの移動方向とは反対側の各端部に対して画像データを引き伸ばすように拡大し（Ｓ１０７）各端部に画像Ｌ１を補完する（図７（ａ）中  Ｌ１参照）。
このように、端部の一定領域における画像が一定以上均一である場合に、画像データの移動方向とは反対側の各端部に対して画像データを引き伸ばすように拡大して各端部に画像Ｌ１を補完することで、用紙端部での画像のずれを抑制しながら、用紙Ｐの周縁部に白い縁が生じないように余白なし印刷することができる。
【００４５】
端部の一定領域における画像が閾値を超えて不均一である場合（Ｓ１０６：Ｎｏ）、画像データ補正部１１２は、画像データの移動方向とは反対側の各端部に対して画像データの拡大率を増加させて（Ｓ１０８）各端部に画像Ｌ２を補完する（図７（ｂ）中  Ｌ２参照）。
このように、端部の一定領域における画像が閾値を超えて不均一である場合に、画像データの移動方向とは反対側の各端部に対して画像データの拡大率を増加させて各端部に画像Ｌ２を補完することで、用紙端部での画像のずれを抑制しながら、用紙Ｐの周縁部に白い縁が生じないように余白なし印刷することができる。
【００４６】
このようにして、余白なし印刷の際に、各レイヤーのオブジェクト画像ＯＧと用紙Ｐの端部との距離Ｄが所定の閾値以下であると判定された場合には、オブジェクト画像ＯＧが用紙Ｐの端部から遠ざかるように移動するとともに、画像データの移動方向とは反対側の各端部に対して余白が発生する場合には、画像データの移動方向とは反対側の各端部に対して画像データの補正を行うことで、画像に含まれるオブジェクト画像ＯＧが欠損することがなく余白なし印刷ができる。
【００４７】
「変形例１」
図８は変形例１に係る画像形成装置１における余白なし印刷時の動作の流れを示すフローチャート、図９はオブジェクト画像と用紙端部との位置関係が一定の閾値以下である場合の画像データの補正を示す模式図である。
【００４８】
画像形成装置１は、余白なし印刷を行う印刷元データとしての画像データから、レイヤーごとにオブジェクト画像データを取得する（Ｓ２０１）。
【００４９】
位置算出部１１４は、取得されたオブジェクト画像データに対して、それぞれ用紙Ｐの端部との距離Ｄを算出し（Ｓ２０２）、距離Ｄが所定の閾値以下であるか否かが判定される（Ｓ２０３）。
【００５０】
距離Ｄが閾値以下と判断された場合（Ｓ２０３：Ｙｅｓ）、画像データ補正部１１２は、画像データの端部領域を拡大して（Ｓ２０４）各端部に画像Ｌ３を補完し（図９中  Ｌ３参照）、余白なし印刷される（Ｓ２０５）。尚、距離Ｄが閾値を越えていると判断された場合（Ｓ２０３：Ｎｏ）、画像データは所定の拡大率Ｒで拡大され余白なし印刷される（Ｓ２０５）。
【００５１】
このようにして、余白なし印刷の際に、各レイヤーのオブジェクト画像ＯＧと用紙Ｐの端部との距離Ｄが所定の閾値以下であると判定された場合には、画像データ補正部１１２は、画像データの端部領域を拡大するように画像データの補正を行うことで、画像に含まれるオブジェクト画像ＯＧが欠損することがなく余白なし印刷ができる。
【００５２】
「変形例２」
図１０は変形例２に係る画像形成装置１における余白なし印刷時の動作の流れを示すフローチャート、図１１はオブジェクト画像と用紙端部との位置関係が一定の閾値以下である場合の画像データの補正を示す模式図である。
【００５３】
画像形成装置１は、余白なし印刷を行う印刷元データとしての画像データから、レイヤーごとにオブジェクト画像データを取得する（Ｓ３０１）。
【００５４】
位置算出部１１４は、取得されたオブジェクト画像データに対して、それぞれ用紙Ｐの端部との距離Ｄを算出し（Ｓ３０２）、距離Ｄが所定の閾値以下であるか否かが判定される（Ｓ３０３）。
【００５５】
距離Ｄが閾値以下と判断された場合（Ｓ３０３：Ｙｅｓ）、画像データ補正部１１２は、ベースレイヤーＢＬの画像データの端部領域を拡大して（Ｓ３０４）各端部に画像Ｌ４を補完し（図１１中  Ｌ４参照）余白なし印刷される（Ｓ３０５）。尚、距離Ｄが閾値を越えていると判断された場合（Ｓ３０３：Ｎｏ）、画像データは所定の拡大率Ｒで拡大され余白なし印刷される（Ｓ３０５）。
【００５６】
このようにして、余白なし印刷の際に、各レイヤーのオブジェクト画像ＯＧと用紙Ｐの端部との距離Ｄが所定の閾値以下であると判定された場合には、画像データ補正部１１２は、ベースレイヤーの画像データの端部領域を拡大するように画像データの補正を行うことで、画像に含まれるオブジェクト画像ＯＧが欠損することがなく余白なし印刷ができる。
【符号の説明】
【００５７】
１・・・画像形成装置
１０・・・画像形成部
１１・・・システム制御装置
１１１・・・画像出力制御部
１１２・・・画像データ補正部
１１３・・・画像判定部
１１４・・・位置算出部
１１５・・・余白判別部
２０・・・給紙装置
３０・・・操作表示部
４０・・・画像処理部
ＢＬ・・・ベースレイヤー
Ｄ・・・距離
Ｐ・・・用紙
Ｒ・・・拡大率
ＯＧ・・・オブジェクト画像
【図１】
0006988150.tif 000002
【図２】
0006988150.tif 000003
【図３】
0006988150.tif 000004
【図４】
0006988150.tif 000005
【図５】
0006988150.tif 000006
【図６】
0006988150.tif 000007
【図７】
0006988150.tif 000008
【図８】
0006988150.tif 000009
【図９】
0006988150.tif 000010
【図１０】
0006988150.tif 000011
【図１１】
0006988150.tif 000012